(57)【要約】【課題】太陽電池モジュールにより発電された電力をより有効に取り出す構成を実現する。【解決手段】本開示に係る太陽電池モジュールは、第１の方向に延伸するよう配置され、前記第１の方向に交差する第２の方向に並べられた複数の太陽電池セルストリングを含み、前記複数の太陽電池セルストリングは、その一端側に第１の配線を有する第１の太陽電池セルストリングと、前記第１の太陽電池セルストリングに隣り合うよう配置され、前記一端側に第２の配線を有する第２の太陽電池セルストリングと、を含み、前記第１の太陽電池セルストリング、及び前記第２の太陽電池セルストリングの他端側に電気的に接続された第３の配線と、前記第１の配線と前記第３の配線との間に設けられた第１のダイオードと、前記第２の配線と前記第３の配線との間に設けられた第２のダイオードと、を更に含む。【選択図】図３
2018174215.tif 000002
【特許請求の範囲】
【請求項１】
第１の方向に延伸するよう配置され、前記第１の方向に交差する第２の方向に並べられた複数の太陽電池セルストリングを含む太陽電池モジュールにおいて、
前記複数の太陽電池セルストリングは、
その一端側に第１の配線を有する第１の太陽電池セルストリングと、
前記第１の太陽電池セルストリングに隣り合うよう配置され、前記一端側に第２の配線を有する第２の太陽電池セルストリングと、を含み、
前記第１の太陽電池セルストリング、及び前記第２の太陽電池セルストリングの他端側に電気的に接続された第３の配線と、
前記第１の配線と前記第３の配線との間に設けられた第１のダイオードと、
前記第２の配線と前記第３の配線との間に設けられた第２のダイオードと、
を更に含む、太陽電池モジュール。
【請求項２】
前記第１の配線が、負極に接続され、
前記第２の配線が、正極に接続され、
前記第１のダイオードのアノードが前記第１の配線に接続され、
前記第１のダイオードのカソードが前記第３の配線に接続され、
前記第２のダイオードのアノードが前記第３の配線に接続され、
前記第２のダイオードのカソードが前記第２の配線に接続された、
請求項１に記載の太陽電池モジュール。
【請求項３】
前記第１の配線は、前記第１の太陽電池セルストリングの裏面側に引き回され、
前記第２の配線は、前記第２の太陽電池セルストリングの裏面側に引き回され、
前記第３の配線は、平面視において前記一端側から前記第１の配線と前記第２の配線との間に引き回された、
請求項１又は２に記載の太陽電池モジュール。
【請求項４】
前記第１の配線、前記第２の配線、及び前記第３の配線は、前記裏面側に配置された端子箱内に引き回された、
請求項１乃至３のいずれか一つに記載の太陽電池モジュール。
【請求項５】
前記第１の太陽電池セルストリングの他端は、前記複数の太陽電池セルストリングに含まれる第３の太陽電池セルストリングを介して前記第３の配線と接続された、
請求項１乃至４のいずれか一つに記載の太陽電池モジュール。
【請求項６】
前記第１の太陽電池セルストリングの他端側に接続される前記複数の太陽電池セルストリングの数が奇数である、
請求項５に記載の太陽電池モジュール。
【請求項７】
前記第２の太陽電池セルストリングの他端は、前記複数の太陽電池セルストリングに含まれる第４の太陽電池セルストリングを介して前記第３の配線と接続された、
請求項１乃至６のいずれか一つに記載の太陽電池モジュール。
【請求項８】
前記第２の太陽電池セルストリングの他端側に接続される前記複数の太陽電池セルストリングの数が奇数である、
請求項７に記載の太陽電池モジュール。
【請求項９】
前記第１の太陽電池セルストリングに含まれる太陽電池セルの内の少なくとも一つが、分割セルである、
請求項１乃至８のいずれか一つに記載の太陽電池モジュール。
【請求項１０】
前記複数の太陽電池セルストリングに含まれる太陽電池セルの全てが、前記分割セルである、
請求項９に記載の太陽電池モジュール。
【請求項１１】
前記複数の太陽電池セルストリングを内在する絶縁層を更に含む、
請求項１乃至１０のいずれか一つに記載の太陽電池モジュール。
【請求項１２】
前記第３の配線は、平面視において、前記第１の太陽電池セルストリングと前記第２の太陽電池セルストリングとの間に引き回された、
請求項１乃至１１のいずれか一つに記載の太陽電池モジュール。
【発明の詳細な説明】
【技術分野】
【０００１】
本発明は、太陽電池モジュールに関する。
【背景技術】
【０００２】
下記特許文献１における図１２、１３には、複数の太陽電池セルストリングが、矩形状の配置領域における一辺に沿って並べて配置された構成が開示されている。また、複数の太陽電池セルストリングの内、中央に配置された２本の太陽電池セルストリング間にバイパスダイオードを設けることにより、光起電セルが影になった場合において、逆バイアス電圧が光起電セルに印加され、破壊されることを抑制する構成が開示されている。
【先行技術文献】
【特許文献】
【０００３】
【特許文献１】特開平５−１６０４２５号公報
【発明の概要】
【発明が解決しようとする課題】
【０００４】
しかし、従来の太陽電池モジュールでは、各太陽電池セルストリングにより発電された電力が有効に取り出されていなかった。即ち、従来の太陽電池モジュールでは、一部の太陽電池セルストリングが影になった場合においても、複数の太陽電池セルストリング全体の電力を取り出すことができない構成となっていた。
【０００５】
本開示は、上記問題点に鑑みてなされたものであり、その目的は、太陽電池モジュールにより発電された電力をより有効に取り出す構成を実現することにある。
【課題を解決するための手段】
【０００６】
（１）本開示に係る太陽電池モジュールは、第１の方向に延伸するよう配置され、前記第１の方向に交差する第２の方向に並べられた複数の太陽電池セルストリングを含む太陽電池モジュールにおいて、前記複数の太陽電池セルストリングは、その一端側に第１の配線を有する第１の太陽電池セルストリングと、前記第１の太陽電池セルストリングに隣り合うよう配置され、前記一端側に第２の配線を有する第２の太陽電池セルストリングと、を含み、前記第１の太陽電池セルストリング、及び前記第２の太陽電池セルストリングの他端側に電気的に接続された第３の配線と、前記第１の配線と前記第３の配線との間に設けられた第１のダイオードと、前記第２の配線と前記第３の配線との間に設けられた第２のダイオードと、を更に含む。
【０００７】
（２）上記（１）における太陽電池モジュールにおいて、前記第１の配線が、負極に接続され、前記第２の配線が、正極に接続され、前記第１のダイオードのアノードが前記第１の配線に接続され、前記第１のダイオードのカソードが前記第３の配線に接続され、前記第２のダイオードのアノードが前記第３の配線に接続され、前記第２のダイオードのカソードが前記第２の配線に接続された、構成としてもよい。
【０００８】
（３）上記（１）〜（２）における太陽電池モジュールにおいて、前記第１の配線は、前記第１の太陽電池セルストリングの裏面側に引き回され、前記第２の配線は、前記第２の太陽電池セルストリングの裏面側に引き回され、前記第３の配線は、平面視において前記一端側から前記第１の配線と前記第２の配線との間に引き回された構成としてもよい。
【０００９】
（４）上記（１）〜（３）における太陽電池モジュールにおいて、前記第１の配線、前記第２の配線、及び前記第３の配線は、前記裏面側に配置された端子箱内に引き回された構成としてもよい。
【００１０】
（５）上記（１）〜（４）における太陽電池モジュールにおいて、前記第１の太陽電池セルストリングの他端は、前記複数の太陽電池セルストリングに含まれる第３の太陽電池セルストリングを介して前記第３の配線と接続された構成としてもよい。
【００１１】
（６）上記（５）における太陽電池モジュールにおいて、前記第１の太陽電池セルストリングの他端側に接続される前記複数の太陽電池セルストリングの数が奇数である構成としてもよい。
【００１２】
（７）上記（１）〜（６）における太陽電池モジュールにおいて、前記第２の太陽電池セルストリングの他端は、前記複数の太陽電池セルストリングに含まれる第４の太陽電池セルストリングを介して前記第３の配線と接続された構成としてもよい。
【００１３】
（８）上記（７）における太陽電池モジュールにおいて、前記第２の太陽電池セルストリングの他端側に接続される前記複数の太陽電池セルストリングの数が奇数である構成としてもよい。
【００１４】
（９）上記（１）〜（８）における太陽電池モジュールにおいて、前記第１の太陽電池セルストリングに含まれる太陽電池セルの内の少なくとも一つが、分割セルである構成としてもよい。
【００１５】
（１０）上記（９）における太陽電池モジュールにおいて、前記複数の太陽電池セルストリングに含まれる太陽電池セルの全てが、前記分割セルである構成としてもよい。
【００１６】
（１１）上記（１）〜（１０）における太陽電池モジュールにおいて、前記複数の太陽電池セルストリングを内在する絶縁層を更に含む構成としてもよい。
【００１７】
（１２）上記（１）〜（１１）における太陽電池モジュールにおいて、前記第３の配線は、平面視において、前記第１の太陽電池セルストリングと前記第２の太陽電池セルストリングとの間に引き回された構成としてもよい。
【図面の簡単な説明】
【００１８】
【図１】図１は本実施形態に係る太陽電池モジュールに含まれる第１の太陽電池セルストリングの概略を示す裏面側からみた平面図である。
【図２】図２は本実施形態に係る太陽電池モジュールに含まれる第２の太陽電池セルストリングの概略を示す裏面側からみた平面図である。
【図３】図３は本実施形態に係る太陽電池モジュールの概略を示す裏面図である。
【図４】図４は本実施形態に係る太陽電池モジュールに含まれる端子箱内の概略を示す平面図である。
【図５】図５は本実施形態に係る太陽電池モジュールの概略を示す裏面図である。
【図６】図６は図５に示すVI部の拡大平面図である。
【図７】図７は図６におけるVII-VII線における断面を示す断面図である。
【図８】図８は図６におけるVIII-VIII線における断面を示す断面図である。
【図９】図９は図６におけるIX-IX線における断面を示す断面図である。
【図１０】図１０は図６におけるX-X線における断面を示す断面図である。
【図１１】図１１は図６におけるXI-XI線における断面を示す断面図である。
【発明を実施するための形態】
【００１９】
本開示の実施形態について、図面を用いて以下に説明する。
【００２０】
図１は、本実施形態に係る太陽電池モジュール１００に含まれる第１の太陽電池セルストリング１１の概略を示す裏面側からみた平面図である。本実施形態においては、第１の太陽電池セルストリング１１が、６つの太陽電池セル（１Ａ〜１Ｆ）を含む。各太陽電池セルは受光面と裏面とを有している。太陽電池セルの受光面には第１の太陽電池セルストリング１１の伸びる方向に２本の受光面側バスバー電極が形成されている。また、太陽電池セルの裏面には第１の太陽電池セルストリング１１の伸びる方向に２本の裏面側バスバー電極が形成されている。受光面側バスバー電極および裏面側バスバー電極はそれぞれ、負極、正極として作用する。この第１の太陽電池セルストリング１１に含まれる太陽電池セルに設けられた受光面側バスバー電極と裏面側バスバー電極とが接続されることにより、第１のストリング配線１３が構成されている。
【００２１】
第１の太陽電池セルストリング１１内の隣接する太陽電池セルは第１のストリング配線１３により直列接続される。すなわち、一の太陽電池セルの受光面側バスバー電極（負極）は、隣接する太陽電池セルの裏面側バスバー電極（正極）と接続される。これにより、第１の太陽電池セルストリング１１内の複数の太陽電池セルは第１のストリング配線１３により直列接続されている。
【００２２】
第１の太陽電池セルストリング１１の一端側に設けられた太陽電池セル１Ａは、第１の配線１０に電気的に接続される。第１の配線１０は、太陽電池セル１Ａの裏面側に引き回され、後述する端子箱において負極と接続される。第１の太陽電池セルストリング１１の他端側に設けられた太陽電池セル１Ｆは、他の太陽電池セルストリングなどを介して、後述する第３の配線３０に電気的に接続される。
【００２３】
図２は、本実施形態に係る太陽電池モジュール１００に含まれる第２の太陽電池セルストリング２１の概略を示す裏面側からみた平面図である。本実施形態においては、第２の太陽電池セルストリング２１が、６つの太陽電池セル（２Ａ〜２Ｆ）を含む。各太陽電池セルは受光面と裏面とを有している。受光面には第２の太陽電池セルストリング２１の伸びる方向に２本の受光面側バスバー電極が形成されている。また、裏面には第２の太陽電池セルストリング２１の伸びる方向に２本の裏面側バスバー電極が形成されている。受光面側バスバー電極および裏面側バスバー電極はそれぞれ、負極、正極として作用する。この第２の太陽電池セルストリング２１に含まれる太陽電池セルに設けられた受光面側バスバー電極と裏面側バスバー電極とが接続されることにより、第２のストリング配線２３が構成されている。
【００２４】
第２の太陽電池セルストリング２１内の隣接する太陽電池セルは第２のストリング配線２３により直列接続される。すなわち、一の太陽電池セルの受光面側バスバー電極（負極）は、隣接する太陽電池セルの裏面側バスバー電極（正極）と接続される。これにより、第２の太陽電池セルストリング２１内の複数の太陽電池セルは第２のストリング配線２３により直列接続されている。
【００２５】
第２の太陽電池セルストリング２１の一端側に設けられた太陽電池セル２Ａは、第２の配線２０に電気的に接続される。第２の配線２０は、太陽電池セル２Ａの裏面側に引き回され、後述する端子箱において正極と接続される。第２の太陽電池セルストリング２１の他端側に設けられた太陽電池セル２Ｆは、他の太陽電池セルストリングなどを介して、後述する第３の配線３０に電気的に接続される。
【００２６】
図３は、本実施形態に係る太陽電池モジュール１００の概略を示す裏面図である。図３においては、複数の太陽電池セルストリングの一端側を右側に表示し、他端側を左側に表示する。
【００２７】
図３に示すように、太陽電池モジュール１００は、上述した第１の太陽電池セルストリング１１と、第２の太陽電池セルストリング２１に加え、第３の太陽電池セルストリング３１、第４の太陽電池セルストリング４１とを有している。第３の太陽電池セルストリング３１、第４の太陽電池セルストリング４１は、上述した第１の太陽電池セルストリング１１と、第２の太陽電池セルストリング２１と同様に、６つの太陽電池セルが、ストリング配線により直列接続されて構成されている。これら４本の太陽電池セルストリングは、第１の方向に延伸するよう配置され、この第１の方向に交差する第２の方向に並べて配置されている。
【００２８】
第１の太陽電池セルストリング１１と第２の太陽電池セルストリング２１は、隣り合うように配置されており、上述した通り、第１の太陽電池セルストリング１１の一端側は第１の配線１０に接続され、第２の太陽電池セルストリング２１の一端側は第２の配線２０に接続されている。
【００２９】
第１の太陽電池セルストリング１１の他端側は、第１のストリング間配線５１を介して、第３の太陽電池セルストリング３１の他端側に接続されている。第３の太陽電池セルストリング３１の一端側は第３のストリング間配線５３に接続され、第３のストリング間配線５３は、平面視において第１の太陽電池セルストリング１１の一端側から、第１の配線１０と第２の配線２０との間に引き回された第３の配線３０に接続されている。即ち、第１の太陽電池セルストリング１１の他端側は、第１のストリング間配線５１、第３の太陽電池セルストリング３１、第３のストリング間配線５３を介して、第３の配線３０に接続されている。
【００３０】
第２の太陽電池セルストリング２１の他端側は、第２のストリング間配線５２を介して、第４の太陽電池セルストリング４１の他端側に接続されている。第４の太陽電池セルストリング４１の一端側は第３のストリング間配線５３に接続され、第３のストリング間配線５３は、第３の配線３０に接続されている。即ち、第２の太陽電池セルストリング２１の他端側は、第２のストリング間配線５２、第４の太陽電池セルストリング４１、第３のストリング間配線５３を介して、第３の配線３０に接続されている。
【００３１】
第１の配線１０、第２の配線２０、第３の配線３０は、第１の太陽電池セルストリング１１、第２の太陽電池セルストリング２１の裏面側において、当該裏面に対して略直角に折り曲げられ、図４に示す、端子箱６０内に引き回される。
【００３２】
本実施形態に係る端子箱６０内の概略を示す平面図である図４に示すように、端子箱６０内において、第１の配線１０は、端子箱６０に設けられた第１の貫通孔６１から端子箱６０内に進入し、端子箱６０の外部にまで引き出され、負極と接続される。第２の配線２０は、第２の貫通孔６２から第２の配線２０が端子箱６０内に進入し、端子箱６０の外部にまで引き出され、正極と接続される。
【００３３】
第３の配線３０は、第３の貫通孔６３から端子箱６０内に進入し、第１のダイオード７１を介して第１の配線１０に電気的に接続され、第２のダイオード７２を介して第２の配線２０に電気的に接続される。より具体的には、第３の配線３０は、第１のダイオード７１のカソードに接続され、第１のダイオード７１のアノードは、負極に接続された第１の配線１０に接続される。また、第３の配線３０は、第２のダイオード７２のアノードに接続され、第２のダイオード７２のカソードは、正極に接続された第２の配線２０に接続される。
【００３４】
このような構成により、第１の太陽電池セルストリング１１、第３の太陽電池セルストリング３１が影になっているような場合であっても、第２の太陽電池セルストリング２１、第４の太陽電池セルストリング４１により発電された電力を取り出すことが可能となる。また、第２の太陽電池セルストリング２１、第４の太陽電池セルストリング４１が影になっているような場合であっても、第１の太陽電池セルストリング１１、第３の太陽電池セルストリング３１により発電された電力を取り出すことが可能となる。
【００３５】
更に、本構成によれば、第１の配線１０、第２の配線２０、第３の配線３０、及び第３のストリング間配線５３が、平面視においてそれぞれ交差することなく、第１の配線１０、第２の配線２０、第３の配線３０を、裏面側に配置された端子箱６０まで引き回すことが可能となる。
【００３６】
更に、第１の配線１０、第２の配線２０、第３の配線３０が平面視において互いに交差していないため、封止時に、第１の配線１０、第２の配線２０、第３の配線３０を略同一平面に配置することが可能となる。その結果、太陽電池モジュール１００の裏面側において、配線の厚みに由来する膨れが発生することを抑制することができる。
【００３７】
更に、本構成によれば、通常時、最も高電位となる第２の配線２０と、最も低電位となる第１の配線１０が隣り合うことなく、裏面側に配置された端子箱６０まで引き回すことが可能となる。
【００３８】
更に、本構成においては、第１の太陽電池セルストリング１１側に接続される第３の太陽電池セルストリング３１の数を奇数（本実施形態においては１つ）とし、第２の太陽電池セルストリング２１側に接続される第４の太陽電池セルストリング４１の数を奇数（本実施形態においては１つ）としているため。そのため、第１の太陽電池セルストリング１１の他端側から一端側にまで配線を引き回してくる必要がなく、また、第２の太陽電池セルストリング２１の他端側から一端側にまで配線を引き回してくる必要がない。そのため、配線間におけるショートの発生を抑制することができる。
【００３９】
なお、本実施形態においては、第１の太陽電池セルストリング１１の他端側に接続された太陽電池セルストリングが、一つの第３の太陽電池セルストリング３１であり、第２の太陽電池セルストリング２１の他端側に接続された太陽電池セルストリングが、一つの第４の太陽電池セルストリング４１である例を示したが、第１の太陽電池セルストリング１１の他端側に複数の太陽電池セルストリングが接続されていてもよく、第２の太陽電池セルストリング２１の他端側に複数の太陽電池セルストリングが接続されていてもよい。
【００４０】
なお、第１の太陽電池セルストリング１１の他端側に接続される太陽電池セルストリングの数を偶数とし、第２の太陽電池セルストリング２１の他端側に接続される太陽電池セルストリングの数を偶数としても、第３の配線３０と第１のダイオード７１、第２のダイオード７２を用いて、第１の太陽電池セルストリング１１側、あるいは第２の太陽電池セルストリング２１側に接続された太陽電池セルストリング群の一方が影になっても、他方の発電による電力を第１の配線１０、第２の配線２０により取り出すことは可能である。
【００４１】
ただし、第１の太陽電池セルストリング１１の他端側に接続される太陽電池セルストリングの数を奇数にすることにより、第１の太陽電池セルストリング１１の他端側から、第３の配線３０まで、他の配線等を用いて引き回してくる必要がないため、望ましい。同様に、第２の太陽電池セルストリング２１の他端側に接続される太陽電池セルストリングの数を奇数にすることにより、第２の太陽電池セルストリング２１の他端側から、第３の配線３０まで、他の配線等を用いて引き回してくる必要がないため、望ましい。
【００４２】
また、第１の太陽電池セルストリング１１側に接続された太陽電池セルストリングの数と第２の太陽電池セルストリング２１側に接続された太陽電池セルストリングの数とが異なっていても本開示の効果を得ることは可能である。即ち、第３の配線３０と第１のダイオード７１、第２のダイオード７２を用いて、第１の太陽電池セルストリング１１側、あるいは第２の太陽電池セルストリング２１側に接続された太陽電池セルストリング群の一方が影になっても、他方の発電による電力を第１の配線１０、第２の配線２０により取り出すことは可能である。
【００４３】
なお、本実施形態においては、各太陽電池セルストリングにおけるストリング配線を２本の線で表示しているが、ストリング配線の本数は、本図面に限定されない。
【００４４】
なお、本実施形態においては、各太陽電池セルストリングが含む太陽電池セルの個数が６個の例を示したが、各太陽電池セルストリングが含む太陽電池セルの個数は６個に限定されない。
【００４５】
なお、図１から図３に示す太陽電池モジュール１００においては、太陽電池セルストリングに含まれる各太陽電池セルが略正方形状をする構成を示したが、図５に示すように、太陽電池セルを複数にカットした略矩形状のもの（以下、分割セルという）を直接に接続し、複数の太陽電池セルストリングを構成してもよい。特に、各太陽電池セルを半分にカットしたもの（以下、ハーフカットセルという）が好適に用いられる。図５に示す例においては、太陽電池セルがハーフカットセルである点を除いて、図３に示した例と同様の構成を示している。また、図５においても、複数の太陽電池セルストリングの一端側を右側に表示し、他端側を左側に表示する。
【００４６】
太陽電池モジュール１００にハーフカットセルを用いることにより、限られたスペースであっても、直列接続される太陽電池セルの個数に応じて、所望の電圧値を出力させることができる。また、太陽電池モジュール１００にハーフカットセルを用いることにより、太陽電池モジュール１００内において流れる電流量を半分にすることができるため、安全面においても望ましい。このように、太陽電池モジュール１００にハーフカットセルを用いることにより、低電流、高電圧の構成とすることが可能となる。
【００４７】
以下、図６〜１１を用いて、本実施形態における太陽電池モジュール１００の詳細構造について説明する。ここでは、太陽電池セルがハーフカットセルである例を用いて説明する。
【００４８】
図６は、図５に示すVI部の拡大平面図である。図６においては、複数の太陽電池セルストリングの一端側を右側に表示し、他端側を左側に表示する。図６に示すように、第１の太陽電池セルストリング１１の一端側に配置された太陽電池セル１Ａは、負極に接続された第１の配線１０と接続されている。また、太陽電池セル１Ａは、第１のストリング配線１３により、図６に表示されない第１の太陽電池セルストリング１１内の他の太陽電池セルと直列に接続されている。第２の太陽電池セルストリング２１の一端側に配置された太陽電池セル２Ａは、正極に接続された第２の配線２０と接続されている。また、太陽電池セル２Ａは、第２のストリング配線２３により、図６に表示されない第２の太陽電池セルストリング２１内の他の太陽電池セルと直列に接続されている。第３の太陽電池セルストリング３１の一端側に配置された太陽電池セル３Ａは、第３のストリング配線３３により、第３の太陽電池セルストリング３１における他の太陽電池セルと直列に接続され、第３のストリング間配線５３により、第３の配線３０に接続されている。第４の太陽電池セルストリング４１の一端側に配置された太陽電池セル４Ａは、第４のストリング配線４３により、第４の太陽電池セルストリング４１における他の太陽電池セルと直列に接続され、第３のストリング間配線５３により、第３の配線３０に接続されている。
【００４９】
図７は、図６におけるVII-VII線における断面を示す断面図である。図７においては、受光面側を下方に、裏面側を上方に表示している。また、図７においては、複数の太陽電池セルストリングの一端側を右側に表示し、他端側を左側に表示する。図７は、第１の太陽電池セルストリング１１の一端側に配置された太陽電池セル１Ａを含む断面を示している。図７に示すように、太陽電池セル１Ａは、樹脂などからなる絶縁層８０内に設けられている。絶縁層８０の受光面側においては、ガラス基材９０が設けられており、絶縁層８０の裏面側には、バックシート８５が設けられている。バックシート８５は、例えば３層構造となっている。バックシート８５の最外層が、絶縁層８０の変形、変質、劣化などを抑制する耐候性層となっており、中間層が、絶縁層８０内への水分の浸入を抑制する防水層となっており、絶縁層８０に最も近い層が、絶縁層８０との密着性を保つ密着層となっている。絶縁層８０内において、太陽電池セル１Ａの裏面側に対して積層方向に離間して配置された第１の配線１０が設けられており、第１の配線１０と太陽電池セル１Ａとの間には、裏面側バスバー電極と第１の配線１０との間におけるショートの発生を抑制する絶縁シート８３が配置されている。この第１の配線１０は、図５、６に示した第１のストリング配線１３と接続される。
【００５０】
図８は、図６におけるVIII-VIII線における断面を示す断面図である。図８においては、受光面側を下方に、裏面側を上方に表示している。また、図８においては、複数の太陽電池セルストリングの一端側を右側に表示し、他端側を左側に表示する。図８は、第３の太陽電池セルストリング３１の一端側に配置された太陽電池セル３Ａを含む断面を示している。図８に示すように、太陽電池セル３Ａの受光面側には、第３の受光面側バスバー電極３３Ａが設けられ、太陽電池セル３Ａの裏面側には、第３の裏面側バスバー電極３３Ｂが設けられている、この第３の受光面側バスバー電極３３Ａと第３の裏面側バスバー電極３３Ｂにより、図６に示した第３のストリング配線３３を構成している。図８に示すように、第３の裏面側バスバー電極３３Ｂは一端側に延伸し、第３のストリング間配線５３に接続されている。
【００５１】
図９は、図６におけるIX-IX線における断面を示す断面図である。図９においては、受光面側を下方に、裏面側を上方に表示している。また、図９においては、複数の太陽電池セルストリングの一端側を右側に表示し、他端側を左側に表示する。図９は、第１の太陽電池セルストリング１１と第２の太陽電池セルストリング２１との間の断面を示しており、この断面に太陽電池セルは含まれていない。図９に示すように、第３の太陽電池セルストリング３１の一端側に接続された第３のストリング間配線５３が、第３の配線３０に接続されている。なお、この図９に示す断面においても、図７において示した、第１の配線１０と太陽電池セル１Ａとの間に設けられた絶縁シート８３が配置されている。
【００５２】
図１０は、図６に示すX-X線における断面を示す断面図である。図１０においては、受光面側を下方に、裏面側を上方に表示している。また、図１０においては、複数の太陽電池セルストリングの一端側を右側に表示し、他端側を左側に表示する。図１０は、第４の太陽電池セルストリング４１の一端側に配置された太陽電池セル４Ａを含む断面を示している。図１０に示すように、太陽電池セル４Ａの受光面側には、第４の受光面側バスバー電極４３Ａが設けられ、太陽電池セル４Ａの裏面側には、第４の裏面側バスバー電極４３Ｂが設けられている、この第４の受光面側バスバー電極４３Ａと第４の裏面側バスバー電極４３Ｂにより、図６に示した第４のストリング配線４３を構成している。図１０に示すように、第４の受光面側バスバー電極４３Ａは一端側に延伸し、第３のストリング間配線５３に接続されている。
【００５３】
図１１は、図６に示すXI-XI線における断面を示す断面図である。図１１においては、受光面側を下方に、裏面側を上方に表示している。また、図１１においては、複数の太陽電池セルストリングの一端側を右側に表示し、他端側を左側に表示する。図１１は、第２の太陽電池セルストリング２１の一端側に配置された太陽電池セル２Ａを含む断面を示している。図１１に示すように、太陽電池セル２Ａは、樹脂などからなる絶縁層８０内に設けられている。絶縁層８０内において、太陽電池セル２Ａの裏面側に対して積層方向に離間して配置された第２の配線２０が設けられており、第２の配線２０と太陽電池セル２Ａとの間には、裏面側バスバー電極と第２の配線２０との間におけるショートの発生を抑制する絶縁シート８３が配置されている。この第２の配線２０は、図５、６に示した第２のストリング配線２３と接続される。
【００５４】
更に、この図７から図１１を用いて説明したガラス基材９０の受光面側、及びバックシート８５の裏面側から、ラミネート処理を施してもよい。ラミネート処理は例えば、真空状態で加熱された金型内において、２枚のラミネートフィルムと、その間に配置された太陽電池モジュール１００を、上下からプレスすることにより行う。
【符号の説明】
【００５５】
１Ａ  太陽電池セル、１Ｂ  太陽電池セル、１Ｃ  太陽電池セル、１Ｄ  太陽電池セル、１Ｅ  太陽電池セル、１Ｆ  太陽電池セル、２Ａ  太陽電池セル、２Ｂ  太陽電池セル、２Ｃ  太陽電池セル、２Ｄ  太陽電池セル、２Ｅ  太陽電池セル、２Ｆ  太陽電池セル、３Ａ  太陽電池セル、４Ａ  太陽電池セル、１０  第１の配線、１１  第１の太陽電池セルストリング、１３  第１のストリング配線、２０  第２の配線、２１  第２の太陽電池セルストリング、２３  第２のストリング配線、３０  第３の配線、３１  第３の太陽電池セルストリング、３３  第３のストリング配線、３３Ａ  第３の受光面側バスバー電極、３３Ｂ  第３の裏面側バスバー電極、４１  第４の太陽電池セルストリング、４３  第４のストリング配線、４３Ａ  第４の受光面側バスバー電極、４３Ｂ  第４の裏面側バスバー電極、５１  第１のストリング間配線、５２  第２のストリング間配線、５３  第３のストリング間配線、６０  端子箱、６１  第１の貫通孔、６２  第２の貫通孔、６３  第３の貫通孔、７１  第１のダイオード、７２  第２のダイオード、８０  絶縁層、８３  絶縁シート、８５  バックシート、９０  ガラス基材、１００  太陽電池モジュール。
【図１】
2018174215.tif 000003
【図２】
2018174215.tif 000004
【図３】
2018174215.tif 000005
【図４】
2018174215.tif 000006
【図５】
2018174215.tif 000007
【図６】
2018174215.tif 000008
【図７】
2018174215.tif 000009
【図８】
2018174215.tif 000010
【図９】
2018174215.tif 000011
【図１０】
2018174215.tif 000012
【図１１】
2018174215.tif 000013